(57)【特許請求の範囲】
【請求項１】
搬送方向に沿って雪を搬送する搬送機構と、
前記搬送機構を所定高さまで持ち上げるクレーンと、
このクレーンに取り付けられ、雪の搬送方向において離れた少なくとも二箇所の支持位置において前記搬送機構を支持し、前記二箇所の支持位置のうち少なくとも一箇所の支持位置の高さを制御することによって前記搬送機構の傾斜角度を調整するようになった傾斜調整機構とを備え、
前記搬送機構は、雪の搬送方向下流側に位置する下流側シャフトと、この下流側シャフトから所定の距離だけ雪の搬送方向上流側に離れた位置に設けられた上流側シャフトと、これら下流側シャフト及び上流側シャフトの間に張設された無端ベルトと、この無端ベルトの外表面に設けられた複数のフィンと、前記下流側シャフト又は前記上流側シャフトの少なくとも一方を回転駆動させるための駆動部とを備えること、を特徴とする屋根用除雪機。
【請求項２】
前記搬送機構を所定の垂直軸周りに回動させて雪の搬送方向を制御するための搬送方向制御機構を備える、請求項１に記載の屋根用除雪機。
【請求項３】
地上に設置され、前記搬送機構によって搬送され屋根から落ちてきた雪を所定位置に搬送するための地上搬送機構を備える、請求項１又は請求項２に記載の屋根用除雪機。
【発明の詳細な説明】
【技術分野】
【０００１】
本発明は、住宅等の屋根から雪を下ろすための屋根用除雪機に関する。
【背景技術】
【０００２】
従来から、住宅等の屋根を除雪するための装置として、例えば特許文献１に記載されたものが知られている。
【０００３】
特許文献１では、油圧ショベルのアームの先端部に、雪を掻きこむオーガと、掻き込まれた雪を吸い込むブロアと、吸い込んだ雪を排出するためのシュートとを備えたアタッチメントを取り付けている。そして特許文献１では、油圧ショベルのアームを制御することでアタッチメントを所定位置まで移動させ、アタッチメントを駆動させることで、オーガによって屋根に積もった雪を掻き込み、ブロアによって掻き込んだ雪を吸い込み、さらにシュートによって吸い込んだ雪を飛ばして屋根を除雪している。
【先行技術文献】
【特許文献】
【０００４】
【特許文献１】特開２００５−３３６８９８号公報
【発明の概要】
【発明が解決しようとする課題】
【０００５】
しかしながら、このような除雪装置では、オーガによって雪を掻き込むようにしているので、屋根全体の除雪を行う場合には屋根の表面全域をなぞるようにアタッチメントを移動させる必要があり、屋根全体の除雪を行うのに相当な手間が必要であった。また、特許文献１の除雪装置では、このように屋根をなぞるような作業を度々行うため、繰り返しアタッチメントの位置を調整する必要があるが、このような繰り返しを行うと、誤操作によりアタッチメントを屋根にぶつけてしまい屋根を破壊してしまう危険性が高まってしまう。
【０００６】
そこで本発明は上述の課題を解決するためになされたものであり、一度に広い面積の除雪を行うことができる屋根用除雪装置を提供することを目的とする。
【課題を解決するための手段】
【０００７】
上述した課題を解決するために、本発明は、搬送方向に沿って雪を搬送する搬送機構と、搬送機構を所定高さまで持ち上げるクレーンと、このクレーンに取り付けられ、雪の搬送方向において離れた少なくとも二箇所の支持位置において搬送機構を支持し、二箇所の支持位置のうち少なくとも一箇所の支持位置の高さを制御することによって搬送機構の傾斜角度を調整するようになった傾斜調整機構とを備え、搬送機構は、雪の搬送方向下流側に位置する下流側シャフトと、この下流側シャフトから所定の距離だけ雪の搬送方向上流側に離れた位置に設けられた上流側シャフトと、これら下流側シャフト及び上流側シャフトの間に張設された無端ベルトと、この無端ベルトの外表面に設けられた複数のフィンと、下流側シャフト又は上流側シャフトの少なくとも一方を回転駆動させるための駆動部とを備えることを特徴とする。
【０００８】
このように構成された本発明によれば、クレーンによって搬送機構を所定高さまで持ち上げ、さらに傾斜調整機構によって搬送機構の傾斜角度を調整することにより、搬送機構による雪の搬送方向を調整することができる。そして搬送機構は、駆動部によって下流側シャフト又は上流側シャフトを駆動させて無端ベルトを作動させ、その外表面に形成されたフィンによって屋根上の雪を搬送するようになっているが、下流側シャフトと上流側シャフトとの間に、所定の長さを有する搬送経路を規定することができるので、一度、搬送機構を位置決めすることによって、搬送経路に沿った距離に相当する分だけの雪を屋根から下ろすことができる。
【０００９】
また、本発明において、好ましくは、搬送機構を所定の垂直軸周りに回動させて雪の搬送方向を制御するための搬送方向制御機構を備える。
【００１０】
このように構成された本発明によれば、複雑な形状を有する屋根においても除雪作業を行うことができる。
【００１１】
また、本発明において、好ましくは、地上に設置され、搬送機構によって搬送され屋根から落ちてきた雪を所定位置に搬送するための地上搬送機構を備える。
【００１２】
このように構成された本発明によれば、屋根から地上に落ちてきた雪を容易に処理することができる。
【発明の効果】
【００１３】
以上のように、本発明によれば、一度に広い面積の除雪を行うことができる。
【図面の簡単な説明】
【００１４】
【図１】本発明の実施形態による屋根用除雪機を示す側面図である。
【図２】本発明の実施形態による屋根用除雪機を示す上面図である。
【図３】本発明の実施形態による傾斜調整機構と搬送機構を示す斜視図である。
【図４】本発明の実施形態による傾斜調整機構と搬送機構を示す立面図である。
【図５】本発明の実施形態による屋根用除雪機を示す上面図である。
【図６】本発明の実施形態による屋根用除雪機の使用時の状態を示す上面図である。
【図７】本発明の実施形態による屋根用除雪機の使用時の状態を示す上面図である。
【図８】本発明の実施形態による屋根用除雪機の使用時の状態を示す側面図である。
【発明を実施するための形態】
【００１５】
以下、図面を参照して、本発明の実施形態による屋根用除雪機について説明する。図１は、本発明の実施形態による屋根用除雪機を示す側面図であり、図２は、この屋根用除雪機を示す上面図である。
図１及び図２に示すように、屋根用除雪機１は、車両３に取り付けられたクレーン５と、屋根の雪を屋根の縁に向けて搬送する搬送機構７と、搬送機構７の端部に取り付けられた搬送方向制御機構９とを備える。また、屋根用除雪機１は、地上に配置された地上搬送機構１１を備える。
【００１６】
クレーン５は、垂直方向及び水平方向に回動できるように車両３に取り付けられており、一端が車両３に固定された伸縮式のアーム１３と、アーム１３の先端に取り付けられ搬送機構７の傾斜を調整するための傾斜調整機構１５とを備える。また、クレーン５は、ウィンチ（図示せず）に巻き取られるようになった、フック１７付のワイヤ１９を有しており、傾斜調整機構１５は、ワイヤ１９の先端のフック１７から垂れる四本の傾斜調整機構支持ワイヤ２１によって支持されている。この四本の傾斜調整機構支持ワイヤ２１は、各々、ワイヤ１９のフック１７にかけられている。そして傾斜調整機構１５の下には、搬送機構７が吊るされている。
【００１７】
図３は、傾斜調整機構と搬送機構を示す斜視図であり、図４は、傾斜調整機構と搬送機構を示す立面図である。傾斜調整機構１５は、各々の角部に傾斜調整機構支持ワイヤ２１が連結されるフレーム２３と、フレーム２３から垂下している二本の搬送機構支持ワイヤ２５と、二本の搬送機構支持ワイヤ２５の先端に取り付けられ且つ搬送機構７に回動可能に取り付けられた搬送機構支持棒２７と、フレーム２３に取り付けられた傾斜調整用ウィンチ２９と、この傾斜調整用ウィンチ２９から垂れる傾斜調整用ワイヤ３１と、傾斜調整用ワイヤ３１の先端に取り付けられた傾斜調整用フレーム３３とを備える。
【００１８】
フレーム２３は、例えば四本のパイプの先端同士を互いに連結させた四角形とされ、その四つの角部には、それぞれ、傾斜調整機構支持ワイヤ２１の先端が固定されている。そしてフレーム２３は、四本の傾斜調整機構支持ワイヤ２１の長さを同一にすることにより、ほぼ水平に保たれている。またフレーム２３の一辺を挟む二つの角部の各々には、それぞれ同一の長さを有する搬送機構支持ワイヤ２５が取り付けられている。そして、二本の搬送機構支持ワイヤ２５の各々の先端には、水平に延びる一本の搬送機構支持棒２７が架け渡されている。また、フレーム２３における上述した一辺と対向する辺を構成するパイプには、減速機モータを有する傾斜調整用ウィンチ２９が取り付けられている。そして傾斜調整用ウィンチ２９は、そこから延びる傾斜調整用ワイヤ３１の長さを調整するようになっている。また、傾斜調整用ワイヤ３１の先端には、搬送機構７に回動可能に取り付けられた傾斜調整用フレーム３３が取り付けられている。
【００１９】
搬送機構７は、雪を搬送するための無端ベルト３５と、無端ベルト３５を駆動するための駆動部３７とを備えている。駆動部３７は、無端ベルト３５による雪の搬送方向上流側に設けられた上流側シャフト３９と、雪の搬送方向下流側に設けられた下流側シャフト４１と、上流側シャフト３９及び下流側シャフト４１の両方、又は一方を回転駆動させるシャフト駆動用モータ４３とを備えている。そして駆動部３７は、全体的に、所定の間隔をもって設けられた上流側シャフト３９と下流側シャフト４１との間で延びる細長い形状を有している。
【００２０】
無端ベルト３５は、上流側シャフト３９と下流側シャフト４１の間に張設されており、二本のシャフト３９，４１のうちの何れか一方又は両方を駆動させることで、一定方向に動くようになっている。
【００２１】
また、無端ベルト３１の外表面には、可撓性を有する複数のフィン４５が設けられている。このフィン４５は、その根本が、上端部よりも雪の搬送方向上流側に位置するような傾斜をもって無端ベルト３１の外表面に固定されている。そしてこの無端ベルト３５の幅は、５００ｍｍ程度であり、フィン４５は、例えば無端ベルト３１の外表面から５０ｍｍ〜１００ｍｍ程度の高さを有している。
【００２２】
また、駆動部３７には、上述した傾斜調整機構１５の搬送機構支持棒２７及び傾斜調整用フレーム３３が、各々、回動可能に取り付けられている。搬送機構支持棒２７は、駆動部３７の雪の搬送方向中央と上流側シャフト３９との間において駆動部３７を貫通するように、搬送機構支持ワイヤ２５の間に架け渡されている。一方で傾斜調整用フレーム３３は、その下部フレームが、駆動部３７の雪の搬送方向中央と下流側シャフト４１との間において駆動部３７を貫通するようになっている。このように駆動部３７は、雪の搬送方向中央よりも上流側及び下流側の二箇所の位置において、傾斜調整機構１５に支持されている。
【００２３】
上流側シャフト３９と下流側シャフト４１は、雪の搬送方向において所定の距離離れて設けられている。そして実質的には、上流側シャフト３９と下流側シャフト４１とのスパンによって雪の搬送経路の長さを規定するようになっている。
【００２４】
搬送方向制御機構９は、地上に配置される、減速機モータを有する２つの搬送方向制御用ウィンチ４５と、２つの搬送方向制御用ウィンチ４５から延びる搬送方向制御用ワイヤ４７と、搬送方向制御用ワイヤ４７の各々をかけるための２つのシーブ４９とを備える。搬送方向制御用ワイヤ４７は、搬送方向制御用ウィンチ４５からシーブ４９を迂回して延び、その先端は、搬送機構７の駆動部３７における雪の搬送方向下流側端部近傍に固定されている。そして２つの搬送方向制御用ウィンチ４５は、各々独立して制御可能に構成されている。
【００２５】
図５は、屋根用除雪機を示す上面図である。
【００２６】
図５に示すように、地上搬送機構１１は、屋根の縁のほぼ真下に配置され、搬送機構７によって屋根から地上に落とされた雪を所望の位置まで搬送するものであり、例えば複数のコンベアを連結して構成されている。
【００２７】
次に上述した屋根用除雪機１の作用について説明する。尚、以下では切妻造の住宅を例に挙げて屋根用除雪機の作用を説明する。
【００２８】
図６は、屋根用除雪機の使用時の状態を示す上面図である。屋根用除雪機１を使用する場合、まず、車両３を一方の屋根の斜面側に停車させて、搬送機構７を吊るした状態のクレーン５を垂直方向に回動させることにより、搬送機構７を所定の高さまで持ち上げる。
さらにクレーン５を水平方向に回動させることにより、除雪を行いたい位置のほぼ真上に搬送機構７を位置決めする。次に、搬送方向調整用ウィンチ４５を駆動させて、搬送方向調整用ワイヤ４７の長さを調整して、搬送機構７が屋根の棟に対して直交するように位置決めする。これにより、雪の搬送方向が棟に対して直交するように調整される。図６に示す例では、車両３の位置から住宅を見た場合に、車両３よりも左側の位置で除雪を行おうとしているので、クレーン５を左方向に回動させ、さらに車両３の右側に配置された搬送方向制御用ウィンチ４５から延びる搬送方向制御用ワイヤ４７を延ばし、これと同時に車両３の左側に配置された搬送方向制御用ウィンチ４５から延びる搬送方向制御用ワイヤ４７をウィンチ４５に巻き込む。これにより、搬送機構７が、車両３よりも左側の位置において、棟に対して垂直に延びるように位置決めされる。
【００２９】
次に、クレーンのワイヤ用のウィンチ、及び傾斜調整用ウィンチ２９を駆動させて、搬送機構７が屋根の面と平行になるように、且つ無端ベルト３５の下面が屋根の雪に接触するように、搬送機構７を位置決めする。搬送機構７の傾斜を調整する操作は、傾斜調整用ウィンチ２９を作動させて傾斜調整用ワイヤ３１の長さを調整し、搬送機構７全体を、固定長の搬送機構支持ワイヤ２５により水平支持されている搬送機構支持棒２７を中心に回動させることにより行う。
【００３０】
そして、搬送機構７を所望の位置にセットした後、搬送機構７のシャフト駆動用モータ４３を駆動させることにより無端ベルト３５を駆動させる。これにより、無端ベルト３５の下面に設けられたフィン４５が雪の搬送方向下流側に向けて移動するので、フィン４５によって雪を屋根の縁の方向に搬送することができる。そして屋根から落下した雪は地上搬送機構１１によって所望の場所まで搬送される。
【００３１】
図７は、車両３が停止している位置とは棟を挟んで反対側にある面の除雪を行う場合の屋根用除雪機の上面図であり、図８は、図７の状態の側面図である。
【００３２】
上述した面とは反対側の面を除雪する場合、クレーン５を一旦下ろしてフック１７にかけられている傾斜調整機構支持ワイヤ２１のかけ方を逆にする。即ち、車両３を停止している側の面を除雪する場合には、搬送機構７の雪の搬送方向下流側端部が車両３に近い側にあり、上流側端部が車両３から遠い側にあったが、車両３が停止している側の面と反対側の面を除雪する場合には、搬送機構７の上流側端部が車両に近い側にあり、下流側端部が車両３から遠い側に位置するように、傾斜調整機構支持ワイヤ２１をかけかえる。またこれと同時に、搬送方向調整用ワイヤ４７を、上流側端部近傍に固定する。そしてこの状態で搬送機構７を持ち上げることにより、搬送機構７の下流側シャフト４１が屋根の下端近傍に位置し、上流側シャフト３９が屋根の棟近傍に位置するように搬送機構７の位置を調整することができる。
【００３３】
以上のように本発明の実施形態による屋根用除雪機１によれば、所定の長さの搬送経路を有する搬送機構７によって屋根の上の雪を搬送することができるので、一旦、搬送機構７を位置決めすれば、広い面積の雪を屋根から下ろすことができる。
【符号の説明】
【００３４】
１    屋根用除雪機
５    クレーン
７    搬送機構
９    搬送方向制御機構
１１    地上搬送機構
１５    傾斜調整機構
３３    無端ベルト
３７    駆動部
３９    上流側シャフト
４１    下流側シャフト
【図１】
0005366273.tif 000002
【図２】
0005366273.tif 000003
【図３】
0005366273.tif 000004
【図４】
0005366273.tif 000005
【図５】
0005366273.tif 000006
【図６】
0005366273.tif 000007
【図７】
0005366273.tif 000008
【図８】
0005366273.tif 000009